(57)【特許請求の範囲】
【請求項１】
タービンに燃焼ガスを供給するために燃料と空気の混合気を燃焼させる燃焼筒と、
一端側から供給された燃料と空気を混合して他端側から前記燃焼筒内に供給する予混合管と、
前記予混合管の一端側に設けられて前記予混合管の内部に燃料を供給する燃料供給手段とを有するとともに、
前記予混合管の周壁に、前記周壁の接線方向に沿って内部に空気を流入させて空気の旋回流を形成する複数の孔を形成し、
前記周壁の内部に、前記周壁と所定間隔をおいて円筒形の内壁を設けることにより、一端側が閉止され他端側が前記燃焼筒に連通して空気の旋回流を形成する筒状の隙間を、前記周壁と前記内壁の間に構成し、
空気と前記燃料供給手段から供給される燃料が、前記内壁の一端側の開口から前記内壁の内側に供給されて混合気となり、前記内壁の内側において前記内壁の軸線方向に沿った直進流となって前記燃焼筒に送り込まれるようにしたことを特徴とするガスタービン燃焼器。
【請求項２】
前記内壁の内周面が直円筒形状であることを特徴とする請求項１記載のガスタービン燃焼器。
【請求項３】
前記燃料供給手段が燃料を空洞状の円錐形に噴射するホロコーンタイプの圧力噴射ノズルであることを特徴とする請求項２記載のガスタービン燃焼器。
【請求項４】
前記予混合管の他端側を前記燃焼筒と同軸となるように燃焼筒内に突出させたことを特徴とする請求項３記載のガスタービン燃焼器。
【請求項５】
前記予混合管の軸方向の長さを、前記圧力噴射ノズルによって噴射される円錐形の燃料が前記予混合管の他端側に当たらないように設定したことを特徴とする請求項４記載のガスタービン燃焼器。
【請求項６】
前記圧力噴射ノズルの周囲に空気の流路を設けたことを特徴とする請求項５記載のガスタービン燃焼器。
【発明の詳細な説明】
【技術分野】
【０００１】
本発明は、ガスタービン燃焼器に係り、特に燃焼筒に接続連通された予混合管の内部に、空気の旋回流を生じさせると同時に空気と燃料の直進流が生じる領域を確保することにより、燃焼筒内の適切な位置に火炎を安定的に保持して熱による燃焼筒の耐久性悪化を防止し、同時に燃焼の安定化や低エミッション等をも実現したガスタービン燃焼器に関するものである。
【背景技術】
【０００２】
下記特許文献１には、燃焼筒２と予混合管３と燃料供給手段５を備えたガスタービン燃焼器１の発明が開示されている。このガスタービン燃焼器１によれば、燃料供給手段において、燃料は接線方向に沿って環状の燃料通路１６に供給され、環状のノズル部１９から均一に噴射され、ノズル部を取り巻く周状の空気通路２２からの空気によって微粒化されて、燃焼器内に軸方向流を作る。一方、予混合管の周壁面の孔２５から内部に流入した空気は燃焼器内で軸方向流を取り巻く旋回流を作る。その結果、火炎は燃焼器の頂部から離れた位置に保持され、遮熱プレート６は過熱せず耐久性が向上する。このため、このガスタービン燃焼器は従来よりも耐久性に優れ、エミッション特性が向上するものとされている。
【先行技術文献】
【特許文献】
【０００３】
【特許文献１】特開２００９−１９８０５４号公報
【発明の概要】
【発明が解決しようとする課題】
【０００４】
しかしながら、前述した従来のガスタービン燃焼器によれば、予混合管の周壁面の孔から内部に供給される旋回流が予混合管の中心方向に侵入することで予混合管中心部の軸方向流れの一様性を乱し、火炎の安定化が困難な状態に陥りやすいという問題があった。
【０００５】
また、前述した従来のガスタービン燃焼器で採用されているノズル部によれば、エアブラストされてフィルマから出る燃料の液膜の周りには直進的な空気の流れしかないため、この液膜を微粒化するのに十分なせん断力が得られないという問題もあった。
【０００６】
そこで本発明は、以上の課題を解決するものであり、予混合管内における空気と燃料の直進流の流路断面積の減少を防ぐことにより、当該直進成分の流速が過剰に上昇することを防止することにより、燃焼筒内の適切な位置に火炎を安定的に保持して熱による燃焼筒の耐久性悪化を防止するとともに、空気の流れとは関係なく燃料を微粒化し、もって燃焼の安定化や低エミッションを実現することを目的としている。
【課題を解決するための手段】
【０００７】
前記の課題を解決するために、請求項１に記載されたガスタービン燃焼器は、
タービンに燃焼ガスを供給するために燃料と空気の混合気を燃焼させる燃焼筒と、
一端側から供給された燃料と空気を混合して他端側から前記燃焼筒内に供給する予混合管と、
前記予混合管の一端側に設けられて前記予混合管の内部に燃料を供給する燃料供給手段とを有するとともに、
前記予混合管の周壁に、前記周壁の接線方向に沿って内部に空気を流入させて空気の旋回流を形成する複数の孔を形成し、
前記周壁の内部に、前記周壁と所定間隔をおいて円筒形の内壁を設けることにより、一端側が閉止され他端側が前記燃焼筒に連通して空気の旋回流を形成する筒状の隙間を、前記周壁と前記内壁の間に構成し、
空気と前記燃料供給手段から供給される燃料が、前記内壁の一端側の開口から前記内壁の内側に供給されて混合気となり、前記内壁の内側において前記内壁の軸線方向に沿った直進流となって前記燃焼筒に送り込まれるようにしたことを特徴としている。
【０００８】
請求項２に記載されたガスタービン燃焼器は、請求項１記載のガスタービン燃焼器において、前記内壁の内周面が直円筒形状であることを特徴としている。
【０００９】
請求項３に記載されたガスタービン燃焼器は、請求項２記載のガスタービン燃焼器において、前記燃料供給手段が燃料を空洞状の円錐形に噴射するホロコーンタイプの圧力噴射ノズルであることを特徴としている。
【００１０】
請求項４に記載されたガスタービン燃焼器は、請求項３記載のガスタービン燃焼器において、前記予混合管の他端側を前記燃焼筒と同軸となるように燃焼筒内に突出させたことを特徴としている。
【００１１】
請求項５に記載されたガスタービン燃焼器は、請求項４記載のガスタービン燃焼器において、前記予混合管の軸方向の長さを、前記圧力噴射ノズルによって噴射される円錐形の燃料が前記予混合管の他端側に当たらないように設定したことを特徴としている。
【００１２】
請求項６に記載されたガスタービン燃焼器は、請求項５記載のガスタービン燃焼器において、前記圧力噴射ノズルの周囲に空気の流路を設けたことを特徴としている。
【発明の効果】
【００１３】
請求項１に記載されたガスタービン燃焼器によれば、予混合管の周壁に設けられた孔から内部に流入した空気は、周壁と内壁の間の筒状の隙間で旋回流となって燃焼筒に送り込まれる。予混合管の一端側からは、内壁の内側の空間に空気と燃料が供給されて混合気となり、この混合気は前記旋回流の干渉を受けることなく、内壁の内側の全領域において内壁の軸線方向に沿った一様な直進流となって燃焼筒に送り込まれ、燃焼に供される。このように、予混合管内における混合気の直進流は、予混合管の周壁の孔から流入した空気の旋回流が予混合管の中心方向に侵入することで予混合管中心部の軸方向流れの一様性が乱されることはなく、周壁の内側の断面積を流路断面積とした一様性が保証される。このため、火炎は燃焼筒内の適切な位置に安定的に保持され、熱による燃焼筒の耐久性悪化が防止されるとともに、燃焼の安定化や低エミッションが実現される。
【００１４】
請求項２に記載されたガスタービン燃焼器によれば、請求項１記載のガスタービン燃焼器による効果において、内壁の内周面が直円筒形状であるため、内壁の内周面が内方に突出したノズル状になっている場合等に比べて、燃料供給手段から供給される燃料が内壁に付着しにくい。また、内壁の内径が一定であるために混合気の流速は妥当な一定の値に保たれて変動することがなく、定常的な直進流が得られる。
【００１５】
請求項３に記載されたガスタービン燃焼器によれば、請求項２記載のガスタービン燃焼器による効果において、燃料供給手段がホロコーンタイプの圧力噴射ノズルであるため、燃料を空洞状の円錐形に噴射することが可能となり、空気の流れとは関係なく燃料を良好な状態で微粒化することができる。
【００１６】
請求項４に記載されたガスタービン燃焼器によれば、請求項３記載のガスタービン燃焼器による効果において、予混合管の他端部を燃焼筒内に突出させたので、予混合管内に噴射された燃料は燃焼筒内の高温の雰囲気に晒されることによる蒸発の促進が期待される。
【００１７】
請求項５に記載されたガスタービン燃焼器によれば、請求項４記載のガスタービン燃焼器による効果において、圧力噴射ノズルによって円錐形に噴射された燃料が予混合管の他端側に付着して着火することにより予混合管の他端側の温度が上昇する不都合を防止することができる。
【００１８】
請求項６に記載されたガスタービン燃焼器によれば、請求項５記載のガスタービン燃焼器による効果において、圧力噴射ノズルから円錐形に噴射される燃料の広がりが、圧力噴射ノズルの周囲に設けられた流路からの空気によって抑制されるので、内壁への燃料の付着を一層緩和することができる。
【図面の簡単な説明】
【００１９】
【図１】図１は本発明の一実施形態に係るガスタービン燃焼器の縦断面図である。
【図２】図２は一実施形態に係るガスタービン燃焼器の予混合管付近における拡大縦断面図である。
【発明を実施するための最良の形態】
【００２０】
以下本発明の最良の実施の形態につき、添付図面を参照して詳細に説明する。
まず、図１を参照して本実施形態のガスタービン燃焼器１の全体構成を説明する。このガスタービン燃焼器１は大略円筒形状の燃焼筒２を有している。燃焼筒２は頂部が閉塞され、下部の開口が図示しないガスタービンの排気側に連通されている。詳細は後述するが、燃焼筒２の頂部には予混合管３が取り付けられ、予混合管３の頂部には燃料供給手段としての圧力噴射装置４が取り付けられている。そして、燃焼筒２と予混合管３は、図示しないターボ圧縮機の圧縮空気取入口に連通した外筒体５に包囲されており、圧力噴射装置４に接続された燃料供給系の一部は外筒体５の頂部を貫通して外部に導かれている。
【００２１】
図１乃至図２に示すように、燃焼筒２の頂部中心位置には予混合管３が同軸で配置されている。予混合管３は、燃焼筒２の頂部の外側に取り付けられた筒状の周壁６と、燃焼筒２の頂部に取り付けられて下方の燃焼筒２内に所定寸法だけ突出するように配置された筒状の突出壁７から構成されている。周壁６は、その外形は直円筒形であるが、その内形は下方の燃焼筒２に向けて内径が徐々に縮小する形状となっている。また周壁６には接線方向に沿って内部に空気を流入させる複数の孔８が形成されている。突出壁７は、周壁６の下端の開口と等しい内径の直円筒体であり、周壁６の下端に連結されている。
【００２２】
予混合管３の周壁６の内部には円筒形の内壁９が所定間隔をおいて同軸で配置されている。内壁９の外周面は、下方の燃焼筒２に向けて外径が徐々に縮小する形状となっており、周壁６と内壁９の間には、半径方向の間隔が一定であるとともに、下方に向けて窄まる筒状の隙間Ｓが構成されている。この隙間Ｓは、予混合管３の一端側である上端が閉止されており、下端が突出壁７の近傍で開口している。また、内壁９の内周面は直円筒形状であり、予混合管３の一端側である内壁９の上端は外筒体５内に開口している。
【００２３】
従って、外筒体５内に導かれたターボ圧縮機からの圧縮空気は、予混合管３の周壁６の孔８から内部に流入し、周壁６と内壁９の間の筒状の隙間Ｓで旋回流となり、さらに突出壁７の内周面に沿って旋回しながら燃焼筒２に送り込まれる。また、圧縮空気は、圧力噴射装置４から供給される燃料とともに、内壁９の上端の開口から内壁９の内側に供給されて混合気となり、前記旋回流の干渉を受けることなく、内壁９の内側の全領域において内壁９の軸線方向に沿った一様な直進流となって燃焼筒２に送り込まれる。
【００２４】
図２に示すように、前記圧力噴射装置４は、予混合管３の一端側である周壁６の上端の開口の中心部に配置されている。この圧力噴射装置４は、燃料を空洞状の円錐形に噴射することにより液体燃料を高度に微粒化するホロコーンタイプの圧力噴射ノズルである。この圧力噴射装置４は、メイン供給路１０とパイロット供給路１１の２つの燃料供給路から供給される燃料が同一の噴射ノズル１２から流出するようになっており、燃料に旋回運動が与えられることにより、噴射ノズル１２から出た燃料は遠心力のために広がって中空円錐膜を形成する。このようなホロコーンタイプの圧力噴射ノズルとしてはシンプレックス噴射弁と称されるものが知られている。
【００２５】
図２に示すように、この圧力噴射装置４の噴射ノズル１２の噴射角度αは、軸方向の全長がＬ、内径がＤである予混合管３の下端（突出壁７の下端）の開口に、円錐状に噴射された燃料が付着しないような角度に設定されている。また、圧力噴射ノズルの周囲には、外筒体５内の圧縮空気を導入口１４から導いて噴射する流路１３が設けられている。従って、圧力噴射ノズルから円錐形に噴射される燃料の広がりは、流路１３からの空気によって抑制されるので、突出壁７への燃料の付着を一層緩和・抑制することができる。
【００２６】
次に、以上のように構成された本実施形態のガスタービン燃焼器１の作用について説明する。
ターボ圧縮機からの圧縮空気は通常例えば３００℃程度の温度である。この圧縮空気が外筒体５内に導かれ、予混合管３の周壁６に設けられた孔８から内部に流入し、周壁６と内壁９の間の筒状の隙間Ｓで旋回流となる。この旋回流は突出壁７の内周面に沿って維持されて燃焼筒２に送り込まれ、突出壁７の出口に火炎が付着するのを防止する。他方、圧縮空気は、予混合管３の上端の開口から内壁９の内側の空間にも供給され、圧力噴射装置４から噴射された燃料と混合気を形成して直進流となり、突出壁７内を経て燃焼筒２に送り込まれて燃焼し、例えば１０００〜２０００℃の燃焼ガスを生成する。なお、以上の説明における空気やガスの温度は一例である。
【００２７】
内壁９の内部における圧縮空気及び燃料又はこれらの混合気は、周壁６と内壁９の隙間Ｓで形成された圧縮空気の旋回流に干渉されることなく、内壁９の内側の全領域において内壁９の軸線方向に沿った一様な直進流となり、突出壁７においても旋回流によって流路断面の減少を強いられることなく、燃焼筒２に送り込まれて燃焼に供される。このように、予混合管３内における混合気の直進流は、予混合管３の周壁６の孔８から流入した空気の旋回流が予混合管の中心方向に侵入することで予混合管中心部の軸方向流れの一様性が乱されることはなく、周壁の内側の断面積を流路断面積とした一様性が保証されるので、安定した一定の流速で燃焼筒２内に送り込まれることとなる。このため、火炎は燃焼筒２内の適切な位置に安定的に保持され、熱による燃焼筒２の耐久性悪化が防止されるとともに、燃焼の安定化や低エミッションが実現される。
【００２８】
また、本実施形態のガスタービン燃焼器１によれば、内壁９の内周面が直円筒形状であるため、圧力噴射装置４から供給される燃料の内壁９に対する付着をより一層緩和・抑制できる。このため、燃焼位置及び燃焼状態は一層安定化し、燃焼筒２の耐久性や低エミッション化が一層向上する。
【００２９】
また、本実施形態のガスタービン燃焼器１によれば、圧力噴射装置４がホロコーンタイプの圧力噴射ノズルであるため、燃料を空洞状の円錐形に噴射することが可能となり、空気の流れとは関係なく、ノズル自体の効果として燃料を良好な状態で微粒化することができ、相乗効果により燃焼状態をさらに一層安定化することができる。
【００３０】
また、本実施形態のガスタービン燃焼器１によれば、予混合管３の他端部を、突出壁７として燃焼筒２内に突出させたので、予混合管３内に噴射された燃料は燃焼筒２内の高温の雰囲気に晒されて蒸発が促進され、相乗効果により燃焼状態の安定化が期待される。ここで、突出壁７内側の気化潜熱によって突出壁７壁面温度が低減される効果も期待される。
【００３１】
また、本実施形態のガスタービン燃焼器１によれば、圧力噴射ノズルから噴射される燃料の噴射角度αと、予混合管３の軸方向の全長Ｌ及び内径Ｄとの関係を適宜に設定することにより、円錐形に噴射された燃料が予混合管３の他端側に付着することがない。前述したように、本実施形態では隙間Ｓにおける空気の旋回流が突出壁７内でも維持されるため、突出壁７の出口に火炎が付着することが防止されるが、上述したようなと混合管３の形状と圧力噴射ノズルの噴射角度との関係により、予混合管３の他端部に付着した燃料が着火して温度が上昇する不都合はより一層確実に防止される。
【００３２】
また、本実施形態のガスタービン燃焼器１によれば、圧力噴射ノズルから円錐形に噴射される燃料の広がりが、噴射ノズル１２の周囲に設けられた流路１３からの空気によって抑制されるので、上述したような予混合管３の他端部への燃料の付着をさらに一層確実に防止することができる。
【００３３】
このように、本実施形態のガスタービン燃焼器１によれば、予混合管３と内壁９の間の隙間Ｓで空気の旋回流を生成するとともに、これには干渉されない内壁９の内側の空間において一定の流路断面積を確保することにより、一定流速の空気と燃料の直進流を得ることができる。このため全体として空気と燃料の混合をより一層確実にする効果が得られるとともに、均一に混合された混合気を一様な流速で燃焼筒２に送り込み、燃焼筒２の上部から必要な距離だけ離れた好ましい位置に火炎を確実に保持することにより、装置に熱的に過大な負荷を与えない安定的な低エミッションの燃焼を行なえるという効果が得られる。
【符号の説明】
【００３４】
１…ガスタービン燃焼器
２…燃焼筒
３…予混合管
４…燃料供給手段としての圧力噴射装置
６…周壁
７…突出壁
８…孔
９…内壁
１２…圧力噴射装置の噴射ノズル
１３…流路
【図１】
0005679326.tif 000002
【図２】
0005679326.tif 000003